(57)【要約】【課題】宅内の騒音レベルが宅外の騒音レベルより大きい場合でもドアホン子器からの音声を親機で確実に聞くことができるようにする。【解決手段】親機Ａは、マイクロホン１及びスピーカ２と、送話信号と受話信号のレベルを比較し相対的に高いレベルの信号を通過させて送話状態と受話状態を切り換える通話切換回路５と、マイコン１３とを備える。親機Ａでは、プレストーク機能による強制的な送話状態が終了した時点から所定時間Ｔ１だけマイコン１３により通話切換回路５を強制的に受話状態に切り換えさせる。このため、宅内の騒音レベルが相対的に大きい場合にもドアホン子器Ｃからの音声（受話信号）を親機Ａで確実に聞くことができる。【選択図】        図１
2005005969.tif 000002
【特許請求の範囲】
【請求項１】
宅外に設置されるドアホン子器と、宅内に設置される親機とで構成され、ドアホン子器からの呼出に応じて親機とドアホン子器との間に通話路が形成され、当該通話路を通して親機とドアホン子器との間で通話するインターホンシステムにおいて、マイクロホン及びスピーカと、マイクロホンで集音した送話信号と前記通話路を通してドアホン子器から送られてくる受話信号のレベルを比較し相対的に高いレベルの信号を通過させることで送話状態と受話状態を切り換える通話切換手段と、該通話切換手段を強制的に送話状態に切り換えさせるとともに、強制的な送話状態が終了した時点から所定時間だけ前記通話切換手段を強制的に受話状態に切り換えさせる強制切換手段とを親機に備えたことを特徴とするインターホンシステム。
【請求項２】
前記所定時間を延長する時間延長手段を親機に備えたことを特徴とする請求項１記載のインターホンシステム。
【請求項３】
使用者が操作する操作手段を親機に備え、前記強制切換手段は、該操作手段の操作に応じて前記通話切換手段を強制的に受話状態に切り換えさせることを特徴する請求項１記載のインターホンシステム。
【請求項４】
前記強制切換手段は、予め決められた動作が行われたときに前記通話切換手段を強制的に送話状態又は受話状態に切り換えさせることを特徴とする請求項１記載のインターホンシステム。
【請求項５】
前記強制切換手段は、受話信号のレベルが所定値を超えたときに前記通話切換手段を強制的に受話状態に切り換えさせるとともに、送話信号のレベルが所定値を超えたときに前記通話切換手段を強制的に送話状態に切り換えさせることを特徴とする請求項１記載のインターホンシステム。
【発明の詳細な説明】
【０００１】
【発明の属する技術分野】
本発明は、宅内の家人と宅外の訪問者との間で通話するためのインターホンシステムに関するものである。
【０００２】
【従来の技術】
従来より、宅外に設置されるドアホン子器と、宅内に設置される親機とで構成され、ドアホン子器からの呼出に応じて親機とドアホン子器との間に通話路が形成され、当該通話路を通して親機とドアホン子器との間で通話するインターホンシステムが提供されている（特許文献１参照）。
【０００３】
ところで、上記従来システムの親機には、ハンドセットの代わりにマイクロホンとスピーカを利用して拡声通話（ハンズフリー通話）を行うものがある。かかる拡声通話を行うに当たっては、親機のマイクロホンとスピーカ、あるいはドアホン子器のマイクロホンとスピーカの音響結合等によって生じるエコーやハウリングを抑制する必要がある。そのために上記親機には、マイクロホンで集音した送話信号とドアホン子器から送られてくる受話信号のレベルを比較し、相対的に低いレベルの信号の信号経路に損失を挿入することで相対的に高いレベルの信号を通過させて送話状態と受話状態を切り換える、所謂音声スイッチが設けられている。
【０００４】
ところが、ドアホン子器が設置されている宅外の周囲騒音レベルが、屋外の交通騒音や工事騒音等の影響で宅内の周囲騒音レベルに比較して極端に大きくなった場合、音声スイッチが受話状態に切り換えられたままとなってしまう現象（これを「音声スイッチの片倒れ」と呼ぶ）が生じ、親機のマイクロホンに向かって喋っても音声スイッチが送話状態に切り換わらないためにドアホン子器に送話音声が届かず、通話相手の音声（受話音声）がスピーカから聞こえるだけの片方向の通話になることがあった。そのために従来の親機は、音声スイッチを強制的に送話状態に切り換える機能、例えば、通話開始時に操作される通話釦を押操作している間は送話状態に固定される機能（所謂「プレストーク機能」）を搭載しており、上述のように音声スイッチが受話状態に片倒れした場合に使用者の意志で音声スイッチを強制的に送話状態に切り換えさせていた。
【０００５】
ところで、近年では生活様式や住宅事情の変化に伴って宅内の騒音レベルが宅外の騒音レベルよりもかなり大きくなる状況が発生するようになっている。例えば、室内で飼うペットの鳴き声で送話信号のレベルが大きくなったり、あるいは床材をフローリングにすることで室内の反響によって送話信号のレベルが大きくなる場合がある。そして、このような環境下では親機の音声スイッチが送話状態に切り換わり易くなり、ドアホン子器からの音声が聞き取りにくくなることがあった。そのために上記従来システムでは、使用者の操作によって音声スイッチを強制的に受話状態に切り換える機能を親機に搭載していた。
【０００６】
【特許文献１】
特開２００２−１９９１１４号公報（第４頁、図１及び図３）
【０００７】
【発明が解決しようとする課題】
しかしながら、宅内の騒音レベルが大きい環境下ではドアホン子器から親機への受話音声が聞こえない場合があり、上記従来例においては、来訪者がドアホン子器に向かって話しているときに使用者によって親機が強制的に受話状態に切り換えられるとは限らず、ドアホン子器からの音声を親機で確実に聞くことができない虞があった。
【０００８】
本発明は上記事情に鑑みて為されたものであり、その目的は、宅内の騒音レベルが宅外の騒音レベルより大きい場合でもドアホン子器からの音声を親機で確実に聞くことができるインターホンシステムを提供することにある。
【０００９】
【課題を解決するための手段】
請求項１の発明は、上記目的を達成するために、宅外に設置されるドアホン子器と、宅内に設置される親機とで構成され、ドアホン子器からの呼出に応じて親機とドアホン子器との間に通話路が形成され、当該通話路を通して親機とドアホン子器との間で通話するインターホンシステムにおいて、マイクロホン及びスピーカと、マイクロホンで集音した送話信号と前記通話路を通してドアホン子器から送られてくる受話信号のレベルを比較し相対的に高いレベルの信号を通過させることで送話状態と受話状態を切り換える通話切換手段と、該通話切換手段を強制的に送話状態に切り換えさせるとともに、強制的な送話状態が終了した時点から所定時間だけ前記通話切換手段を強制的に受話状態に切り換えさせる強制切換手段とを親機に備えたことを特徴とする。
【００１０】
この発明によれば、親機における通話状態は通常、送話状態と受話状態が交互に切り換わる場合が多いと考えられるから、強制的な送話状態が終了した時点から所定時間だけ前記通話切換手段を強制的に受話状態に切り換えさせることによって、宅内の騒音レベルが宅外の騒音レベルに比べて相対的に大きい場合であってもドアホン子器からの音声を親機で確実に聞くことができる。
【００１１】
請求項２の発明は、請求項１の発明において、前記所定時間を延長する時間延長手段を親機に備えたことを特徴とする。
【００１２】
この発明によれば、時間延長手段によって通話切換手段を強制的に受話状態に切り換えさせる時間を延長することができて使い勝手が向上する。
【００１３】
請求項３の発明は、請求項１の発明において、使用者が操作する操作手段を親機に備え、前記強制切換手段は、該操作手段の操作に応じて前記通話切換手段を強制的に受話状態に切り換えさせることを特徴する。
【００１４】
この発明によれば、操作手段を操作することで通話切換手段を何時でも自由に強制的な受話状態に切り換えさせることができて使い勝手が向上する。
【００１５】
請求項４の発明は、請求項１の発明において、前記強制切換手段は、予め決められた動作が行われたときに前記通話切換手段を強制的に送話状態又は受話状態に切り換えさせることを特徴とする。
【００１６】
この発明によれば、予め決められた動作が行われたとき、例えば、ドアホン子器からの呼出が行われたときに強制的に送話状態に切り換えられるため、通話状態を強制的に切り換えるにあたって使用者が何らかの操作を行う必要がなく、誤操作の防止と使い勝手の向上が図れる。
【００１７】
請求項５の発明は、請求項１の発明において、前記強制切換手段は、受話信号のレベルが所定値を超えたときに前記通話切換手段を強制的に受話状態に切り換えさせるとともに、送話信号のレベルが所定値を超えたときに前記通話切換手段を強制的に送話状態に切り換えさせることを特徴とする。
【００１８】
この発明によれば、宅内及び宅外におけるそれぞれの騒音レベルに応じて親機の通話状態を強制的に送話状態又は受話状態に切り換えることができて使い勝手が向上する。
【００１９】
【発明の実施の形態】
（実施形態１）
本実施形態のインターホンシステムは、図３に示すように宅外に設置され、来訪者を撮像するためのテレビカメラを具備したドアホン子器Ｃと、宅内に設置され、２線の信号線Ｌｓでドアホン子器Ｃと接続される親機Ａと、同じく宅内に設置され、２線の信号線Ｌｓで親機Ａと接続される副親機Ｂとで構成される。但し、副親機Ｂは親機Ａを介してドアホン子器Ｃと通話するとともに親機Ａとの間で通話（内線通話）するものであるが、基本的な構成が親機Ａと共通であるから、詳細な構成の図示並びに説明は省略する。
【００２０】
親機Ａは、図１に示すようにマイクロホン１及びスピーカ２と、マイクロホン１で集音した音声信号（送話信号）を増幅するマイクアンプ３と、スピーカ２への出力信号を増幅するスピーカアンプ４と、マイクロホン１で集音した送話信号とドアホン子器Ｃから送られてくる受話信号のレベルを比較し相対的に低いレベルの信号経路に損失を挿入することで相対的に高いレベルの信号を通過させて送話状態と受話状態を切り換える通話切換回路（音声スイッチ）５と、ドアホン子器Ｃに電源を供給する子器給電回路６と、ドアホン子器Ｃの待機状態（信号線Ｌｓの電圧レベルが待機電圧の状態）において信号線Ｌｓの回線電圧をもとにドアホン子器Ｃからの呼出を検出する子器呼出検出回路７と、ドアホン子器Ｃの動作状態（信号線Ｌｓの電圧レベルが動作電圧の状態）において信号線Ｌｓの回線電圧をもとにドアホン子器Ｃからの再呼出を検出する子器再呼出検出回路８と、ドアホン子器Ｃから変調されて送られてくる映像信号を復調する復調回路９と、液晶ディスプレイ（ＬＣＤ）１０と、液晶ディスプレイ１０を駆動して復調された映像を表示させるＬＣＤ回路１１と、復調された映像信号を記憶する録画回路１２と、マイコン１３と、通話釦１５、モニタ釦１６並びに内線呼出釦１７などの操作釦の操作を監視して各釦の操作入力をマイコン１３に出力する操作回路１４とを備える。
【００２１】
またドアホン子器Ｃは、図２に示すようにマイクロホン５１及びスピーカ５２と、マイクロホン５１で集音した音声信号（送話信号）を増幅するマイクアンプ５３と、スピーカ５２への出力信号を増幅するスピーカアンプ５４と、マイクロホン５１で集音した送話信号と親機Ａから送られてくる受話信号のレベルを比較し相対的に低いレベルの信号経路に損失を挿入することで相対的に高いレベルの信号を通過させて送話状態と受話状態を切り換える通話切換回路（音声スイッチ）５５と、ＣＣＤなどの撮像素子を用いて来訪者を撮像するカメラ部５６と、カメラ部５６から出力される信号を信号処理するカメラ回路５７と、カメラ回路５７で信号処理された映像信号を変調し信号線Ｌｓを介して親機Ａに伝送する変調回路５８と、マイコン５９と、呼出釦６３の操作を監視して操作入力をマイコン５９に出力する操作回路６０と、信号線Ｌｓの回線電圧を短時間急激に低下させることで呼出信号を送出する呼出回路６１と、信号線Ｌｓの回線電圧をマイコン５９などの各部の動作電圧に変換する電源回路６２とを備える。
【００２２】
次に、本システムの基本動作を簡単に説明する。
【００２３】
まず、来訪者によってドアホン子器Ｃの呼出釦６３が操作されて操作回路６０からマイコン５９に対して呼出釦６３の操作検出信号が入力されると、マイコン５９は呼出回路６１から呼出信号を送出させるとともに、カメラ部５６、カメラ回路５７並びに変調回路５８を起動してカメラ部５６で撮像された来訪者の映像を変調回路５８で変調し信号線Ｌｓを介して親機Ａに伝送する。
【００２４】
一方、親機Ａでは子器呼出検出回路７で呼出信号を検出すると、マイコン１３がスピーカアンプ４を通じてスピーカ２から呼出音を鳴動させるとともに、復調回路９、ＬＣＤ回路１１並びに液晶ディスプレイ１０を起動してドアホン子器Ｃから送られてきた映像信号を復調して液晶ディスプレイ１０に来訪者の映像を表示させる。そして、呼出音を聞いた家人（使用者）が親機Ａの通話釦１５を操作して操作回路１４からマイコン１３に通話釦１５の操作検出信号が入力されると、マイコン１３がマイクアンプ３、スピーカアンプ４並びに通話切換回路５を起動し、ドアホン子器Ｃとの間に通話路を形成して通話可能な状態となる。そして、この状態では通話切換回路５が送話信号と受話信号のレベルを比較し相対的に高いレベルの信号を通過させて送話状態と受話状態を切り換えることによって半二重の拡声通話（ハンズフリー通話）が行われる。
【００２５】
ここで、通話釦１５を一度操作すれば上述の手順で双方向の通話が可能となるが、宅外に設置されているドアホン子器Ｃのマイクロホン５１が周囲の騒音（交通騒音や工事騒音など）を拾ってしまうと親機Ａにおける受話信号のレベルが上昇し、通話切換回路５が常に受話状態に切り換えられてしまう場合がある。このため、従来例と同様に通話釦１５が操作されている間はマイコン１３が通話切換回路５を制御して強制的に送話状態に切り換えさせる機能（プレストーク機能）を親機Ａに搭載している。したがって、通話切換回路５においては、通話釦１５が操作されている間は強制的に送話状態に切り換え、通話釦１５の操作が停止されると強制的な送話状態を終了し、送話信号と受話信号のレベル比較に基づいて送話状態と受話状態を切り換える通常の動作に復帰する。
【００２６】
しかしながら、従来技術で説明したように、例えば、室内で飼うペットの鳴き声で送話信号のレベルが大きくなったり、あるいは床材をフローリングにすることで室内の反響によって送話信号のレベルが大きくなることで宅内の騒音レベルが宅外の騒音レベルよりもかなり大きくなって音声切換回路５が常に送話状態に切り換えられてしまう場合がある。しかも、従来例のように親機Ａ側の操作によって音声切換回路５を強制的に受話状態に切り換えさせる機能を搭載したとしても、宅内の騒音レベルが大きい環境下ではドアホン子器Ｃから親機Ａへの受話音声が聞こえない場合があり、来訪者がドアホン子器Ｃに向かって話しているときに家人（使用者）によって親機Ａが強制的に受話状態に切り換えられるとは限らず、ドアホン子器Ｃからの音声を親機で確実に聞くことができない虞がある。
【００２７】
そこで本実施形態の親機Ａでは、図４に示すようにプレストーク機能による強制的な送話状態が終了した時点から所定時間Ｔ１だけマイコン１３により通話切換回路５を強制的に受話状態に切り換えさせるようにし、上述のように宅内の騒音レベルが相対的に大きい場合にもドアホン子器Ｃからの音声（受話信号）を親機Ａで確実に聞くことができるようにしている。つまり、通常のインターホンシステムにおいては、呼出のあったドアホン子器Ｃに対して親機Ａから応答（送話）した後、ドアホン子器Ｃから親機Ａへ返答（受話）される場合が多いと考えられるから、強制的な送話状態が終了した時点より所定の時間だけ音声切換回路４を強制的に受話状態に切り換えさせ、所定時間Ｔ１が経過したら強制的な受話状態を終了して通常の動作に復帰させており、本実施形態ではマイコン１３が強制切換手段となる。
【００２８】
また、通話切換回路５が強制的に受話状態に切り換えられている所定時間Ｔ１内に親機Ａの通話釦１５が操作されると、図５に示すように、マイコン１３は操作回路１４から通話釦１５の操作検出信号が入力されている間Ｔ２だけ通話切換回路５を強制的に受話状態に切り換えさせ、通話釦１５の操作で強制的な受話状態を延長するようにしている。つまり本実施形態では、マイコン１３で時間延長手段を構成し、通話切換回路５を強制的に受話状態に切り換えさせる時間を延長するようにして使い勝手の向上を図っている。なお、通話釦１５の操作が停止されると強制的な送話状態を終了し、送話信号と受話信号のレベル比較に基づいて送話状態と受話状態を切り換える通常の動作に復帰する。
【００２９】
ところで、図６に示すように強制的に受話状態に切り換えるための受話切換釦１８を親機Ａに設け、家人（使用者）が受話切換釦１８を操作して操作回路１４からマイコン１３に操作検出信号が入力されたときに通話切換回路５を強制的に受話状態に切り換えさせるようにすれば、通話切換回路５を何時でも自由に強制的な受話状態に切り換えさせることができて使い勝手が向上するという利点がある。なお、受話切換釦１８を設ける代わりに、例えば、通話釦１５と内線呼出釦１７が同時に操作されたときにマイコン１３によって通話切換回路５を強制的に受話状態に切り換えさせるようにしてもよい。
【００３０】
（実施形態２）
実施形態１においては強制的に送話状態とした後の一定時間のみを強制的に受話状態としているが、親機Ａやドアホン子器Ｃの使用環境によっては特定の状況で親機Ａを常に送話又は受話状態で使用しなければならない場合も想定できる。その場合、強制的に送話状態や受話状態に切り換えさせるために一定の手順を踏む必要があるため、操作の手間がかかってしまう。
【００３１】
そこで本実施形態においては、予め決められた動作が行われたとき、例えば、ドアホン子器Ｃからの呼出が行われたときに親機Ａのマイコン１３が通話切換回路５を強制的に送話状態に切り換えさせるようにしている。但し、親機Ａ並びにドアホン子器Ｃの構成は実施形態１と共通であるから図示並びに説明は省略する。
【００３２】
而して、ドアホン子器Ｃの周囲（屋外）の騒音レベルが高い環境では親機Ａが受話状態になり易く、従来は家人が通話釦１５を操作してプレストーク機能を使って強制的に送話状態にしていたが、上述のようにドアホン子器Ｃからの呼出が行われたときに親機Ａのマイコン１３が通話切換回路５を強制的に送話状態に切り換えさせることにより、通話釦１５を操作する手間を省いて使い勝手が良くなるとともに、操作ミスによる通話の不具合発生も防止できる。なお、本実施形態では強制的に送話状態に切り換える場合を例示したが、予め決められた動作が行われたときに強制的に受話状態に切り換えることも可能であることは言うまでもない。
【００３３】
（実施形態３）
実施形態２においては予め決められた動作が行われたときに親機Ａの音声切換回路５を強制的に送話状態又は受話状態に切り換えさせるようにしているが、本実施形態においては、受話信号のレベルが所定値を超えたときにマイコン１３が通話切換回路５を強制的に受話状態に切り換えさせるとともに、送話信号のレベルが所定値を超えたときにマイコン１３が通話切換回路５を強制的に送話状態に切り換えさせるようにしている。但し、親機Ａ並びにドアホン子器Ｃの構成は実施形態１と共通であるから図示並びに説明は省略する。
【００３４】
而して、通常は送話信号と受話信号のレベルを比較してレベルの高い方の状態に通話切換回路５が切り換えられるため、例えば宅内の騒音レベルが大きい場合には受話状態に切り換えられ難くなるが、受話信号のレベルが予め設定された所定値を超えたら送話信号のレベルとの大小関係にかかわらず、マイコン１３が通話切換回路５を強制的に受話状態に切り換えさせることにより、通話釦１５を操作する手間を省いて使い勝手が向上するという利点がある。
【００３５】
【発明の効果】
請求項１の発明によれば、親機における通話状態は通常、送話状態と受話状態が交互に切り換わる場合が多いと考えられるから、強制的な送話状態が終了した時点から所定時間だけ前記通話切換手段を強制的に受話状態に切り換えさせることによって、宅内の騒音レベルが宅外の騒音レベルに比べて相対的に大きい場合であってもドアホン子器からの音声を親機で確実に聞くことができる。
【００３６】
請求項２の発明によれば、時間延長手段によって通話切換手段を強制的に受話状態に切り換えさせる時間を延長することができて使い勝手が向上する。
【００３７】
請求項３の発明によれば、操作手段を操作することで通話切換手段を何時でも自由に強制的な受話状態に切り換えさせることができて使い勝手が向上する。
【００３８】
請求項４の発明によれば、予め決められた動作が行われたとき、例えば、ドアホン子器からの呼出が行われたときに強制的に送話状態に切り換えられるため、通話状態を強制的に切り換えるにあたって使用者が何らかの操作を行う必要がなく、誤操作の防止と使い勝手の向上が図れる。
【００３９】
請求項５の発明によれば、宅内及び宅外におけるそれぞれの騒音レベルに応じて親機の通話状態を強制的に送話状態又は受話状態に切り換えることができて使い勝手が向上する。
【図面の簡単な説明】
【図１】実施形態１における親機のブロック図である。
【図２】同上におけるドアホン子器のブロック図である。
【図３】同上のシステム構成図である。
【図４】同上の動作説明図である。
【図５】同上の動作説明図である。
【図６】同上における別の親機の構成を示す正面図である。
【符号の説明】
Ａ  親機
Ｃ  ドアホン子器
５  通話切換回路
１３  マイコン
【図１】
2005005969.tif 000003
【図２】
2005005969.tif 000004
【図３】
2005005969.tif 000005
【図４】
2005005969.tif 000006
【図５】
2005005969.tif 000007
【図６】
2005005969.tif 000008